(57)【要約】【課題】  用画像をリスト表示する技術に関し、リストから所望する医用画像を容易に判別でき、医療行為の作業効率向上を図った技術を提供する。【解決手段】  人体を各部位像で分割した模型像を予め記憶させておき、医用画像のリスト表示事項をリスト表示させるとともに、医用画像の撮影部位に対応する前記部位像を識別表示させる。また、医用画像の各画像種別を表す種別表示画像を予め記憶させておき、医用画像のリスト表示事項をリスト表示させるとともに、医用画像の画像種別に対応する前記種別表示画像を識別表示させる。【選択図】      図３
2008264167.tif 000002
【特許請求の範囲】
【請求項１】
表示手段を有し、医用画像のリストを表示する画像リスト表示装置であって、
医用画像を管理する管理部と、
前記管理部で管理する医用画像のリスト表示事項を前記表示手段にリスト表示させるリスト表示制御手段と、
撮影部位を表し、人体模型の各部位で分割された部位像を記憶する模型像記憶手段と、
前記管理部で管理する医用画像の撮影部位に対応する前記部位像を前記表示手段に識別表示させる部位グラフィカル表示制御手段と、
を備えること、
を特徴とする画像リスト表示装置。
【請求項２】
表示手段を有し、医用画像のリストを表示する画像リスト表示装置であって、
医用画像を管理する管理部と、
前記管理部で管理する医用画像のリスト表示事項を前記表示手段にリスト表示させるリスト表示制御手段と、
前記医用画像の各画像種別を表す種別表示画像を記憶する種別表示画像記憶手段と、
前記管理部で管理する医用画像の画像種別に対応する前記種別表示画像を前記表示手段に識別表示させる前記種別グラフィカル表示制御手段と、
を備えること、
を特徴とする画像リスト表示装置。
【請求項３】
表示手段を有し、医用画像のリストを表示する画像リスト表示装置であって、
医用画像を管理する管理部と、
前記管理部で管理する医用画像のリスト表示事項を前記表示手段にリスト表示させるリスト表示制御手段と、
撮影部位を表し、人体模型の各部位で分割された部位像を記憶する模型像記憶手段と、
前記医用画像の各画像種別を表す種別表示画像を記憶する種別表示画像記憶手段と、
前記管理部で管理する医用画像の撮影部位に対応する前記部位像を前記表示手段に識別表示させる部位グラフィカル表示制御手段と、
前記管理部で管理する医用画像の画像種別に対応する前記種別表示画像を前記表示手段に識別表示させる前記種別グラフィカル表示制御手段と、
を備えること、
を特徴とする画像リスト表示装置。
【請求項４】
表示手段を有し、医用画像のリストを表示する画像リスト表示装置であって、
医用画像の撮影部位とリスト表示事項とを対応付けた対応テーブルとを記憶し、前記医用画像を管理する管理部と、
前記管理部で管理する医用画像の前記リスト表示事項を前記表示手段にリスト表示させるリスト表示制御手段と、
撮影部位を表し、人体模型の各部位で分割された部位像を記憶する模型像記憶手段と、
前記表示手段に表示された前記リスト表示事項の何れかが選択されると、前記対応テーブルに基づき、選択された前記リスト表示事項に対応する前記部位像を前記表示手段に識別表示させる部位グラフィカル表示制御手段と、
を備えること、
を特徴とする画像リスト表示装置。
【請求項５】
表示手段を有し、医用画像のリストを表示する画像リスト表示装置であって、
前記医用画像の画像種別とリスト表示事項とを対応付けた対応テーブルとを記憶し、前記医用画像を管理する管理部と、
前記管理部で管理する医用画像の前記リスト表示事項を前記表示手段にリスト表示させるリスト表示制御手段と、
前記医用画像の各画像種別を表す種別表示画像を記憶する種別表示画像記憶手段と、
前記表示手段に表示された前記リスト表示事項の何れかが選択されると、前記対応テーブルに基づき、選択された前記リスト表示事項に対応する前記種別表示画像を前記表示手段に識別表示させる種別グラフィカル表示制御手段と、
を備えること、
を特徴とする画像リスト表示装置。
【請求項６】
前記管理部は、医用画像の前記撮影部位と前記リスト表示事項とを対応付けた対応テーブルを有し、
前記リスト表示制御手段は、前記表示手段に表示された前記部位像の何れかが選択されると、前記対応テーブルに基づき、選択された前記部位像に対応する前記リスト表示事項を前記表示手段に識別表示させること、
を特徴とする請求項１又は３に記載の画像リスト表示装置。
【請求項７】
前記管理部は、医用画像の前記画像種別と前記リスト表示事項とを対応付けた対応テーブルを含み、
前記リスト表示制御手段は、前記表示手段に表示された前記種別表示画像の何れかが選択されると、前記対応テーブルに基づき、選択された前記種別表示画像に対応する前記リスト表示事項を前記表示手段に識別表示させること、
を特徴とする請求項２又は３に記載の画像リスト表示装置。
【請求項８】
前記管理部は、医用画像の前記撮影部位と前記画像種別とを対応付けた対応テーブルを含み、
前記部位グラフィカル表示制御手段は、
前記表示手段に表示された前記種別表示画像の何れかが選択されると、前記対応テーブルに基づき、選択された前記種別表示画像に対応する前記部位像を前記表示手段にさらに異なって識別表示させること、
を特徴とする請求項３に記載の画像リスト表示装置。
【請求項９】
前記管理部は、医用画像の前記撮影部位と前記画像種別とを対応付けた対応テーブルを含み、
前記種別グラフィカル表示制御手段は、
前記表示手段に表示された前記部位像の何れかが選択されると、前記対応テーブルに基づき、選択された前記部位像に対応する前記種別表示画像を前記表示手段にさらに異なって識別表示させること、
を特徴とする請求項３に記載の画像リスト表示装置。
【請求項１０】
前記部位グラフィカル表示制御手段は、
前記管理部で管理する医用画像に同一撮影部位が存在すると、その同一撮影部位に対応する前記部位像を前記表示手段にさらに異なって識別表示させること、
を特徴とする請求項１又は３に記載の画像リスト表示装置。
【請求項１１】
前記種別グラフィカル表示制御手段は、
前記管理部で管理する医用画像に同一画像種別が存在すると、その同一画像種別に対応する前記種別表示画像を前記表示手段にさらに異なって識別表示させること、
を特徴とする請求項２又は３に記載の画像リスト表示装置。
【請求項１２】
前記リスト表示制御手段は、
前記リスト表示事項を検査情報、各検査情報下に存在するシリーズ情報、各シリーズ情報下に存在する画像識別情報で階層状に表したリストを前記表示手段に表示させること、
を特徴とする請求項１乃至５の何れかに記載の画像リスト表示装置。
【請求項１３】
前記部位像は、頭、肩、胸、上肢、下肢、上腹、下腹の少なくとも何れかであること、
を特徴とする請求項１、３、又は４に記載の画像リスト表示装置。
【請求項１４】
前記種別表示画像は、非造影画像、造影画像、ＭＰＲ画像、ボリューム画像、３次元画像、４次元画像の少なくとも何れかを表すこと、
を特徴とする請求項２、３、又は５に記載の画像リスト表示装置。
【請求項１５】
表示手段を有し医用画像のリストを表示する画像リスト表示装置の画像リスト表示方法であって、
前記画像リスト表示装置に、撮影部位を表し、かつ人体模型の各部位で分割された部位像を予め記憶させておき、
前記画像リスト表示装置で管理する医用画像のリスト表示事項を前記表示手段にリスト表示させるとともに、前記画像リスト表示装置で管理する医用画像の撮影部位に対応する前記部位像を前記表示手段に識別表示させること、
を特徴とする画像リスト表示方法。
【請求項１６】
表示手段を有し医用画像のリストを表示する画像リスト表示装置の画像リスト表示方法であって、
前記画像リスト表示装置に前記医用画像の各画像種別を表す種別表示画像を予め記憶させておき、
前記画像リスト表示装置で管理する医用画像のリスト表示事項を前記表示手段にリスト表示させるとともに、前記画像リスト表示装置で管理する医用画像の画像種別に対応する前記種別表示画像を前記表示手段に識別表示させること、
を特徴とする画像リスト表示方法。
【請求項１７】
表示手段を有し医用画像のリストを表示する画像リスト表示装置の画像リスト表示方法であって、
前記画像リスト表示装置に、撮影部位を表し、かつ人体模型の各部位で分割された部位像を予め記憶させておき、
前記画像リスト表示装置に前記医用画像の各画像種別を表す種別表示画像を予め記憶させておき、
前記医用画像のリスト表示事項を前記表示手段にリスト表示させるとともに、前記医用画像の撮影部位に対応する前記部位像を前記表示手段に識別表示させ、かつ前記医用画像の画像種別に対応する前記種別表示画像を前記表示手段に識別表示させること、
を特徴とする画像リスト表示方法。
【請求項１８】
表示手段を有し医用画像のリストを表示する画像リスト表示装置の画像リスト表示方法であって、
前記画像リスト表示装置に、撮影部位を表し、かつ人体模型の各部位で分割された部位像を予め記憶させておき、
前記医用画像の撮影部位とリスト表示事項とを対応付けた対応テーブルとを予め記憶させておき、
前記医用画像の前記リスト表示事項を前記表示手段にリスト表示させ、
前記表示手段に表示された前記リスト表示事項の何れかが選択されると、前記対応テーブルに基づき、選択された前記リスト表示事項に対応する前記部位像を前記表示手段に識別表示させること、
を特徴とする画像リスト表示方法。
【請求項１９】
表示手段を有し医用画像のリストを表示する画像リスト表示装置の画像リスト表示方法であって、
前記画像リスト表示装置に前記医用画像の各画像種別を表す種別表示画像を予め記憶させておき、
前記医用画像の画像種別とリスト表示事項とを対応付けた対応テーブルとを予め記憶させておき、
前記医用画像の前記リスト表示事項を前記表示手段にリスト表示させ、
前記表示手段に表示された前記リスト表示事項の何れかが選択されると、前記対応テーブルに基づき、選択された前記リスト表示事項に対応する前記種別表示画像を前記表示手段に識別表示させること、
を特徴とする画像リスト表示方法。
【請求項２０】
前記画像リスト表示装置に前記医用画像の前記撮影部位と前記リスト表示事項とを対応付けた対応テーブルを予め記憶させておき、
前記表示手段に表示された前記部位像の何れかが選択されると、前記対応テーブルに基づき、選択された前記部位像に対応する前記リスト表示事項を前記表示手段に識別表示させること、
を特徴とする請求項１５又は１７に記載の画像リスト表示方法。
【請求項２１】
前記画像リスト表示装置に前記医用画像の前記画像種別と前記リスト表示事項とを対応付けた対応テーブルを予め記憶させておき、
前記表示手段に表示された前記種別表示画像の何れかが選択されると、前記対応テーブルに基づき、選択された前記種別表示画像に対応する前記リスト表示事項を前記表示手段に識別表示させること、
を特徴とする請求項１６又は１７に記載の画像リスト表示方法。
【請求項２２】
表示手段を有するコンピュータを、
医用画像を管理する管理部と、
前記管理部で管理する医用画像のリスト表示事項を前記表示手段にリスト表示させるリスト表示制御手段と、
撮影部位を表し、人体模型の各部位で分割された部位像を記憶する模型像記憶手段と、
前記管理部で管理する医用画像の撮影部位に対応する前記部位像を前記表示手段に識別表示させる部位グラフィカル表示制御手段と、
して機能させること、
を特徴とする画像リスト表示プログラム。
【請求項２３】
表示手段を有するコンピュータを、
医用画像を管理する管理部と、
前記管理部で管理する医用画像のリスト表示事項を前記表示手段にリスト表示させるリスト表示制御手段と、
前記医用画像の各画像種別を表す種別表示画像を記憶する種別表示画像記憶手段と、
前記管理部で管理する医用画像の画像種別に対応する前記種別表示画像を前記表示手段に識別表示させる前記種別グラフィカル表示制御手段と、
して機能させること、
を特徴とする画像リスト表示プログラム。
【請求項２４】
表示手段を有するコンピュータを、
医用画像を管理する管理部と、
前記管理部で管理する医用画像のリスト表示事項を前記表示手段にリスト表示させるリスト表示制御手段と、
撮影部位を表し、人体模型の各部位で分割された部位像を記憶する模型像記憶手段と、
前記医用画像の各画像種別を表す種別表示画像を記憶する種別表示画像記憶手段と、
前記模型像のうち、前記管理部で管理する医用画像の撮影部位に対応する前記部位像を前記表示手段に識別表示させる部位グラフィカル表示制御手段と、
前記管理部で管理する医用画像の画像種別に対応する前記種別表示画像を前記表示手段に識別表示させる前記種別グラフィカル表示制御手段と、
して機能させること、
を特徴とする画像リスト表示プログラム。
【請求項２５】
表示手段を有するコンピュータを、
医用画像の撮影部位とリスト表示事項とを対応付けた対応テーブルとを記憶し、前記医用画像を管理する管理部と、
前記管理部で管理する医用画像の前記リスト表示事項を前記表示手段にリスト表示させるリスト表示制御手段と、
撮影部位を表し、人体模型の各部位で分割された部位像を記憶する模型像記憶手段と、
前記表示手段に表示された前記リスト表示事項の何れかが選択されると、前記対応テーブルに基づき、選択された前記リスト表示事項に対応する前記部位像を前記表示手段に識別表示させる部位グラフィカル表示制御手段と、
して機能させること、
を特徴とする画像リスト表示プログラム。
【請求項２６】
表示手段を有するコンピュータを、
前記医用画像の画像種別とリスト表示事項とを対応付けた対応テーブルとを記憶し、前記医用画像を管理する管理部と、
前記管理部で管理する医用画像の前記リスト表示事項を前記表示手段にリスト表示させるリスト表示制御手段と、
前記医用画像の各画像種別を表す種別表示画像を記憶する種別表示画像記憶手段と、
前記表示手段に表示された前記リスト表示事項の何れかが選択されると、前記対応テーブルに基づき、選択された前記リスト表示事項に対応する前記種別表示画像を前記表示手段に識別表示させる種別グラフィカル表示制御手段と、
して機能させること、
を特徴とする画像リスト表示プログラム。
【請求項２７】
前記管理部は、医用画像の前記撮影部位と前記リスト表示事項とを対応付けた対応テーブルを有し、
前記リスト表示制御手段は、前記表示手段に表示された前記部位像の何れかが選択されると、前記対応テーブルに基づき、選択された前記部位像に対応する前記リスト表示事項を前記表示手段に識別表示させること、
を特徴とする請求項２２又は２４に記載の画像リスト表示プログラム。
【請求項２８】
前記管理部は、医用画像の前記画像種別と前記リスト表示事項とを対応付けた対応テーブルを含み、
前記リスト表示制御手段は、前記表示手段に表示された前記種別表示画像の何れかが選択されると、前記対応テーブルに基づき、選択された前記種別表示画像に対応する前記リスト表示事項を前記表示手段に識別表示させること、
を特徴とする請求項２３又は２４に記載の画像リスト表示プログラム。
【発明の詳細な説明】
【技術分野】
【０００１】
本発明は、医用画像をリスト表示する技術に関する。
【背景技術】
【０００２】
所望する医用画像を表示させる際、この所望の医用画像を含む医用画像群のリストをモニタに表示させ、リストの中から所望する医用画像を選択してモニタに表示させる（例えば、「特許文献１」参照。）。
【０００３】
図１は、従来の画像リスト表示装置においてモニタに表示されるリスト表示画面を示す模式図である。従来のリスト表示画面は、医用画像のリストを文字列によって表示する。例えば、医用画像の検査情報を最上位階層とし、その検査情報下のシリーズ情報を中間階層とし、そのシリーズ情報下の画像識別情報を最下位層とした階層状のリストを作成し、それぞれ検査情報を表す検査情報文字列２１１、シリーズ情報を表すシリーズ情報文字列２１２、画像識別情報を表した画像識別情報文字列２１３をリスト表示画面に表示させる。検査情報には患者を識別する患者氏名が付随して表示され、また検査情報の上位層に患者氏名の層が位置する場合もある。
【０００４】
オペレータは、検査情報を文字列で表したリストを読んで所望する医用画像が存在するであろう検査情報を選択する。検査情報が選択されると、画像リスト表示装置は、その検査情報下に存在するシリーズ情報のリストを表示する。オペレータは、シリーズ情報を文字列で表したリストを読んで所望する医用画像が存在するであろうシリーズ情報を選択する。シリーズ情報が選択されると、画像リスト表示装置は、そのシリーズ情報下に存在する画像識別情報のリストを表示する。オペレータは、画像識別情報のリストから所望の医用画像を選択する。即ち、オペレータは、患者氏名や検査情報やシリーズ情報や医用画像識別情報の文字列を認識することで、この文字列から、医用画像の撮影部位や造影画像やＭＰＲ画像等の画像種別を想像し、所望の医用画像を判別していく。
【０００５】
しかし、近年、医用画像を撮影する医用画像診断装置は急速に性能向上を果たし、１回の検査で撮影可能な部位が複数種類に及び、画像データの数が増加し、撮影に連動して作成される造影画像やＭＰＲ画像等の画像種別が増加している。これに伴って、１検査に関連づけられるシリーズ数が増加し、各シリーズでの画像数が増加している。
【０００６】
そのため、文字列により階層的に分類されただけのリスト表示では、所望する医用画像を容易に判別することが困難となり、リスト表示から所望の医用画像を判別するだけで相当の時間を要するようになってきた。
【０００７】
【特許文献１】特許第２６６４７１９号公報
【発明の開示】
【発明が解決しようとする課題】
【０００８】
本発明は、以上の問題点に鑑みてなされたものであって、その目的は、医用画像をリスト表示する技術に関し、リストから所望する医用画像を容易に判別でき、医療行為の作業効率向上を図った技術を提供することにある。
【課題を解決するための手段】
【０００９】
上記課題を解決するために、請求項１記載の本発明は、撮影部位を表し、人体模型の各部位で分割された部位像を予め記憶させておき、医用画像のリスト表示事項をリスト表示させるとともに、医用画像の撮影部位に対応する前記部位像を識別表示させること、を特徴とする。
【００１０】
また、請求項２記載の本発明は、医用画像の各画像種別を表す種別表示画像を予め記憶させておき、医用画像のリスト表示事項をリスト表示させるとともに、医用画像の画像種別に対応する前記種別表示画像を識別表示させること、を特徴とする。
【００１１】
また、請求項３記載の本発明は、撮影部位を表し、人体模型の各部位で分割された部位像を予め記憶させておき、医用画像の各画像種別を表す種別表示画像を予め記憶させておき、医用画像のリスト表示事項をリスト表示させるとともに、前記医用画像の撮影部位に対応する前記部位像を識別表示させ、かつ前記医用画像の画像種別に対応する前記種別表示画像を識別表示させること、を特徴とする。
【００１２】
また、請求項４記載の本発明は、撮影部位を表し、人体模型の各部位で分割された部位像を予め記憶させておき、前記医用画像の撮影部位とリスト表示事項とを対応付けた対応テーブルとを予め記憶させておき、前記医用画像の前記リスト表示事項をリスト表示させ、リスト表示事項の何れかが選択されると、前記対応テーブルに基づき、選択された前記リスト表示事項に対応する前記部位像を識別表示させること、を特徴とする。
【００１３】
また、請求項５記載の本発明は、医用画像の各画像種別を表す種別表示画像を予め記憶させておき、前記医用画像の画像種別とリスト表示事項とを対応付けた対応テーブルとを予め記憶させておき、前記医用画像の前記リスト表示事項をリスト表示させ、前記リスト表示事項の何れかが選択されると、前記対応テーブルに基づき、選択された前記リスト表示事項に対応する前記種別表示画像を識別表示させること、を特徴とする。
【発明の効果】
【００１４】
本発明によっては、医用画像のリスト表示に加えて、リスト表示する医用画像の撮影部位に対応する部位像を識別表示させ、またリスト表示する医用画像の画像種別に対応する種別表示画像を識別表示させるようにした。
【００１５】
また、医用画像の撮影部位と画像種別とリスト表示事項とを対応付けた対応テーブルを記憶し、リスト表示事項の何れかが選択されると、この対応テーブルに基づき、選択されたリスト表示事項に対応する部位像と種別表示画像を識別表示させるようにし、若しくは部位像の何れかが選択されると、この対応テーブルに基づき、選択された部位像に対応するリスト表示事項と種別表示画像を識別表示させるようにし、又は種別表示画像の何れかが選択されると、この対応テーブルに基づき、選択された種別表示画像に対応する部位像とリスト表示事項を識別表示させるようにした。
【００１６】
これにより、表示されたリストがどのような属性を有する医用画像のリストなのかを視覚的に判別できるため、所望する医用画像のリストを容易に選択でき、医療行為の作業効率が向上する。
【発明を実施するための最良の形態】
【００１７】
以下、本発明に係る画像リスト表示技術の好適な各実施形態について、図面を参照しながら詳細に説明する。
【００１８】
（画像リスト表示装置構成）
図２は、本実施形態に係る画像リスト表示装置のハードウェア構成を示すブロック図である。
【００１９】
この画像リスト表示装置１は、ワークステーション装置２とモニタ３とマウス４とにより構成される。ワークステーション装置２は、いわゆるコンピュータである。ワークステーション装置２は、演算制御装置２ａ、主記憶装置２ｂ、外部記憶装置２ｃ、及び入出力インターフェース２ｄにより構成される。入出力インターフェース２ｄには、モニタ３とマウス４とがデータ入出力可能に接続されている。
【００２０】
外部記憶装置２ｃは、所謂ＨＤＤであり、制御プログラムが記憶されている。この外部記憶装置２ｃには、可搬記憶部媒体読み込み装置が含まれ、ＨＤＤや可搬記憶部媒体読み書き装置にリスト表示される医用画像が記憶される場合がある。可搬記憶媒体とは、ＣＤ−ＲＯＭ、ＤＶＤ−ＲＯＭ、ＨＤ−ＤＶＤ、ＵＳＢメモリ等の画像リスト表示装置１から切り離して持ち運びが可能な記憶媒体である。
【００２１】
尚、画像リスト表示装置１は、図示しない医用画像保管装置とネットワークを介して接続されている。医用画像保管装置は、医用画像をデータベースにより保管する装置である。画像リスト表示装置１は、リスト表示段階では、この医用画像保管装置から医用画像の後述する対応テーブルを取得して外部記憶装置２ｃに記憶する。リスト表示段階では、必ずしも医用画像は外部記憶装置２ｃに記憶されない。既に外部記憶装置２ｃに記憶されている医用画像のリスト表示をする場合や、可搬記憶媒体を読み込んでリスト表示する場合には、外部記憶装置２ｃには、医用画像が記憶されている。
【００２２】
演算制御装置２ａは、いわゆるＣＰＵであり、ＲＡＭ等の主記憶装置２ｂをワークエリアとして制御プログラムを外部記憶装置２ｃから適宜読み出し、制御プログラムに従った演算及び制御を行う。
【００２３】
モニタ３は、液晶ディスプレイやＣＲＴディスプレイ等の表示手段であり、入力インターフェース２ｄを介して入力されてきた描画データを表示する。マウス４は、オペレータにより操作される。このマウス４は、オペレータの操作に対応した操作信号を入力インターフェース２ｄを介して演算制御装置２ａに出力する。演算制御装置２ａは、このマウス４から入力された操作信号に従って制御プログラムを読み出し、モニタ３の制御を実行する。
【００２４】
（画像リスト画面表示）
この画像リスト表示装置１は、第１に、モニタ３に医用画像のリストと医用画像の属性を表したグラフィカルイメージを識別表示させる。グラフィカルイメージは、リスト表示する医用画像が何れの撮影部位の画像かを示すイメージと、何れの画像種別の画像かを示すイメージである。
【００２５】
図３は、モニタ３に表示されるリスト表示画面を示す模式図である。図３に示すように、表示画面には、リスト表示エリア２１とグラフィカルイメージ表示エリア２２とに区別されている。
【００２６】
リスト表示エリア２１には、医用画像のリストが表示される。リストは、医用画像の検査情報文字列２１１とシリーズ情報文字列２１２と画像識別情報文字列２１３とをリスト表示事項とし、このリスト表示事項を階層状に表した一覧である。検査情報文字列２１１は、検査を分類する文字列であり、例えば撮影年月日である。シリーズ情報文字列２１２は、シリーズを分類する文字列であり、例えばシリーズ番号と下位層に含む画像数である。このシリーズは、撮影方法、撮影部位、画像種別、画像処理済みの有無等で分類される。画像識別情報文字列２１３は、医用画像を識別するＵＩＤを表す文字列である。
【００２７】
図４は、このリスト表示画面のうち、グラフィカルイメージ部分を拡大した模式図である。図３又は図４に示すように、グラフィカルイメージ表示エリア２２には、人体像２２１と種別表示画像２２２が表示される。人体像２２１は、人体の全体像を模したグラフィカルイメージである。種別表示画像２２２は、医用画像の画像種別を表すグラフィカルイメージである。例えば非造影画像（図４中ａ）、造影画像（図４中ｂ）、ＭＰＲ画像（図４中ｃ）、ボリューム画像（図４中ｄ）、３次元画像、及び４次元画像（図４中ｅ）である。
【００２８】
人体像２２１は、リスト表示する医用画像の撮影部位を模型像上に識別して表示される。例えば、リスト表示する医用画像に頭部と下肢と上腹を撮影した画像が存在すれば、人体像２２１上の頭部（図４中ｆ）と下肢（図４中ｇ）と上腹箇所（図４中ｈ）が識別表示される。リスト表示する医用画像に胸と下腹を撮影した画像が存在しなければ、この胸（図４中ｉ）と下腹箇所（図４中ｊ）は識別表示されない。この存在識別表示は、医用画像の撮影部位に対応する部位を所定色に塗り潰す、ハイライト表示させる等である。所定色は、塗りつぶし部位を撮影した医用画像が存在することを認識させるための色であり、予め青色や赤色等で定められている。
【００２９】
リスト表示する医用画像の画像種別に対応する種別表示画像２２２は識別表示されて、他の種別表示画像２２２と区別されて表示される。例えば、リスト表示する医用画像に非造影画像と造影画像と４次元画像が含まれていれば、これら画像を表す種別表示画像２２２（図４中ａ、ｂ、ｅ）が識別表示され、他のＭＰＲ画像（図４中ｃ）、ボリューム画像（図４中ｄ）を表す各種別表示画像は、グレーアウトされる。この存在識別表示は、種別表示画像２２２の枠の色を所定色とする、ハイライト表示させる等である。所定色は、識別表示されている種別表示画像に対応する画像種別の態様を有する医用画像が存在することを認識させるための色であり、予め青色や赤色等で定められている。
【００３０】
また、図５は、同一の撮影部位や同一の画像種別の医用画像が複数存在することを示すグラフィカルイメージ部分の模式図である。リスト表示する医用画像の複数に同一の撮影部位の画像が存在すれば、その撮影部位に対応する人体像２２１上の部位をさらに異なる表示方法で識別表示させる。また、リスト表示する医用画像の複数に同一の画像種別の画像が存在すれば、その画像種別に対応する種別表示画像２２２をさらに異なる表示方法で識別表示させる。例えば、頭と上腹を撮影部位とした医用画像が複数存在すれば、人体像２２１の頭（図５中ｆ）と上腹箇所（図５中ｈ）を下肢箇所（図５中ｇ）とはさらに異なる表示方法で識別表示する。リスト表示する医用画像に造影画像とＭＰＲ画像が複数存在すれば、造影画像とＭＰＲ画像の種別表示画像２２２（図５中ｂ、ｄ）を非造影画像とＭＰＲ画像の種別表示画像２２２（図中ａ、ｃ）とはさらに異なる表示方法で識別表示する。さらに異なる表示方法による識別表示、即ち重複識別表示は、同一の属性を有する複数の医用画像が存在することを認識させるための所定色とするものであり、予め青色や赤色等で定められている。
【００３１】
図６は、制御プログラムを実行することにより実現されるこのような画像リスト表示装置１の機能を示すブロック図である。
【００３２】
画像リスト表示装置１は、制御プログラムを実行することにより、管理部１１、模型像記憶部１２、種別表示画像記憶部１３、リスト表示制御部１４、部位グラフィカル表示制御部１５、及び種別グラフィカル表示制御部１６を備える。
【００３３】
管理部１１は、主に外部記憶装置２ｃ又はこれに加えて演算制御装置２ａを含み構成される。この管理部１１は、リスト表示する医用画像を管理する。医用画像の管理形態として、管理部１１は、リスト表示する医用画像の対応テーブルを記憶する。この対応テーブルは、医用画像保管装置からネットワークを介して取得する。
【００３４】
外部記憶装置２ｃに医用画像が記憶され、かつこの医用画像に付随してダイコムディレクトリが記憶されている場合には、このダイコムディレクトリが対応テーブルである。管理部１１は、医用画像を記憶しているがダイコムディレクトリが記憶されていない場合は、記憶している医用画像から対応テーブルを作成する。
【００３５】
対応テーブルは、リスト表示する医用画像が有する各種属性を対応付けたテーブルである。図７は、対応テーブルを示す模式図である。この対応テーブルには、医用画像の撮影部位情報、画像種別情報、検査情報、シリーズ情報、画像識別情報、及びモダリティ情報が医用画像毎に対応付けられて記憶されている。
【００３６】
撮影部位情報は、医用画像を撮影した人体上の部位を表す情報であり、例えば頭、肩、胸、上肢、下肢、上腹、又は下腹等を表す。画像種別情報は、医用画像の形態上の種別を表す情報であり、例えば非造影画像、造影画像、ＭＰＲ画像、ボリューム画像、３次元画像、４次元画像等を表す。ＭＰＲ画像を表す場合、さらに詳細にアキシャル面のＭＰＲ画像、サジタル面のＭＰＲ画像、コロナル面のＭＰＲ画像等に区別されて表される。
【００３７】
検査情報は、撮影年月日等で分類される。シリーズ情報は、シリーズ番号や画像数で分類される。画像識別情報は、医用画像を識別するＵＩＤである。モダリティ情報は、医用画像を撮影した撮影装置を表す情報であり、例えば、Ｘ線ＣＴ装置、ＭＲＩ装置、超音波診断装置、核医学診断装置等を表す。
【００３８】
例えば、対応テーブルには、一の医用画像の属性を示すテーブルとして、上腹を撮影したことを表す撮影部位情報、造影剤が投与されて取得された造影画像であることを表す画像種別情報、２００２年１月２０日に撮影されたことを示す検査情報、シリーズ番号が３番目であるシリーズ情報、画像ＵＩＤが「００１」であることを表す画像種別情報、及びＸ線ＣＴ装置により撮影されたことを示すモダリティ情報が対応付けられて記憶されている。
【００３９】
この対応テーブルを作成する場合、管理部１１は、医用画像に付帯する属性を表す付帯情報からこの対応テーブルを作成する。
【００４０】
模型像記憶部１２は、主に外部記憶装置２ｃを含み構成される。この模型像記憶部１２には、人体像オブジェクトと各種の部位像オブジェクトとが記憶されている。人体像オブジェクトと部位像オブジェクトは、制御プログラムの一部である。人体像オブジェクトは、人体の全体像を模した画像データであり、人体像オブジェクトをモニタ３に描画すると人体像２２１が表示される。
【００４１】
部位像オブジェクトは、人体の各部位を模した画像データである。部位像オブジェクトは、部位毎に記憶されており、例えば頭、肩、胸、上肢、下肢、上腹、及び下腹毎に記憶されている。部位像オブジェクトは、人体像２２１の各部位に対応して表示位置が関連づけられている。例えば、頭の部位像オブジェクトは、人体部位像オブジェクトの頭部分に関連づけられている。この部位像オブジェクトを人体像２２１上に描画すると、人体像２２１の部位像オブジェクト描画箇所が存在識別表示されて見える。この部位像オブジェクトは、ハイライト表示や各種色で塗り潰し表示が可能なオブジェクトである。
【００４２】
種別表示画像記憶部１３は、主に外部記憶装置２ｃを含み構成される。この種別表示画像記憶部１３には、各種の種別表示画像オブジェクトが記憶されている。種別表示画像オブジェクトは、制御プログラムの一部である。種別表示画像オブジェクトは、医用画像の画像種別を表す画像データである。例えば非造影画像、造影画像、ＭＰＲ画像、ボリューム画像、３次元画像、及び４次元画像毎に記憶されている。この種別表示画像オブジェクトをモニタ３に描画すると種別表示画像２２２が表示される。この種別表示画像オブジェクトは、ハイライト表示又はグレーアウト表示や各種色の枠飾りが可能なオブジェクトである。
【００４３】
リスト表示制御部１４は、主に演算制御装置２ａを含み構成される。このリスト表示制御部１４は、医用画像のリストを作成し、モニタ３に表示させる。医用画像のリスト作成は、対応テーブルに従って作成される。作成するリストは、医用画像を検査情報とシリーズ情報と画像識別情報とをリスト表示事項とし、このリスト表示事項を階層状に表した一覧である。対応テーブルを参照して、検査情報を最上位階層とし、その下位層をシリーズ情報とし、シリーズ情報の下位層を画像識別情報としたリストを作成する。
【００４４】
まず、リスト表示制御部１４は、対応テーブルを参照して、リスト表示させる医用画像の検査情報のリストを作成し、検査情報を種類別にモニタ３に描画させて検査情報文字列２１１を表示させる。
【００４５】
マウス４の操作によって、一の検査情報文字列２１１を選択したことを示す信号がマウス４から入出力インターフェース２ｄを介して入力されると、対応テーブルを参照して、選択された検査情報文字列２１１に対応する検査情報の下位層に該当するシリーズ情報のリストを作成し、モニタ３に描画させてシリーズ情報文字列２１２を表示させる。
【００４６】
マウス４の操作によって、一のシリーズ情報文字列２１２を選択したことを示す信号がマウス４から入出力インターフェース２ｄを介して入力されると、対応テーブルを参照して、選択されたシリーズ情報文字列２１２に対応するシリーズ情報の下位層に該当する画像識別情報のリストを作成し、モニタ３に描画させて画像識別情報文字列２１３を表示させる。
【００４７】
部位グラフィカル表示制御部１５は、主に演算制御装置２ａを含み構成される。この部位グラフィカル表示制御部１５は、リスト表示する医用画像の撮影部位に対応する部位像オブジェクトをモニタ３に存在識別表示又は重複識別表示させる。部位グラフィカル表示制御部１５は、対応テーブルに存在する所定の撮影部位情報に対応する部位像オブジェクトを模型像記憶部１２から読み出して表示させる。
【００４８】
また、部位グラフィカル表示制御部１５は、模型像記憶部１２から人体像オブジェクトを読み出し、モニタ３に表示させ、識別表示する部位像オブジェクトをこの人体像オブジェクトの対応部位箇所にオーバーレイ表示させる。
【００４９】
種別グラフィカル表示制御部１６は、主に演算制御装置２ａを含み構成される。この種別グラフィカル表示制御部１６は、リスト表示する医用画像の画像種別に対応する種別表示画像オブジェクトをモニタ３に存在識別表示又は重複識別表示させる。種別グラフィカル表示制御部１６は、対応テーブルに存在する所定の画像種別情報に対応する種別表示画像オブジェクトを種別表示画像記憶部１３から読み出して存在識別表示又は重複識別表示させる。
【００５０】
この画像リスト表示装置１のリスト表示画面の表示動作を図８乃至図１０に示す。図８は、リストの最上位層である検査情報層を表示するフローチャートであり、図９は、リストの中間層であるシリーズ情報層を表示するフローチャートであり、図１０は、リストの最下位層である画像識別情報層を表示するフローチャートである。
【００５１】
まず、予めモニタ３には、マウス４の操作に連動して画面上を移動するマウスカーソルが表示され、また所定の医用画像を検索するための検索キーの入力フィールドが表示される。オペレータがマウス４を操作して入力フィールドに検索キーが入力される。
【００５２】
図８に示すように、入力フィールドに検索キーが入力されると、管理部１１は、ネットワーク上の医用画像保管装置に対して医用画像の検索キーを送信し（Ｓ０１）、検索キーに該当する医用画像の属性を対応付けた対応テーブルをネットワークを介して取得し（Ｓ０２）、記憶する（Ｓ０３）。
【００５３】
対応テーブルを記憶すると、リスト表示制御部１４は、対応テーブルから検査情報を抽出し（Ｓ０４）、この検査情報を表す検査情報文字列２１１を並べたリストを作成して（Ｓ０５）、モニタ３に表示させる（Ｓ０６）。
【００５４】
部位グラフィカル表示制御部１５は、模型像記憶部１２から人体像オブジェクトを読み出してモニタ３に表示させる（Ｓ０７）。人体像オブジェクトを表示させると、部位グラフィカル表示制御部１５は、対応テーブルに記憶されている各種撮影部位情報を検索する（Ｓ０８）。検索中は、複数の医用画像の属性となっている同一の撮影部位情報をピックアップする（Ｓ０９）。撮影部位情報が検索されると、部位グラフィカル表示制御部１５は、検索された撮影部位情報に対応する部位像オブジェクトを模型像記憶部１２から読み出し（Ｓ１０）、複数の医用画像の属性となっていない撮影部位情報に対応する部位像オブジェクトをモニタ３に存在識別表示させ（Ｓ１１）、複数の医用画像の属性となっている撮影部位情報に対応する部位像オブジェクトをモニタ３に重複識別表示させる（Ｓ１２）。
【００５５】
さらに、種別グラフィカル表示制御部１６は、対応テーブルに記憶されている各種画像種別情報を検索する（Ｓ１３）。検索中は、複数の医用画像の属性となっている同一の画像種別情報をピックアップする（Ｓ１４）。画像種別情報が検索されると、種別グラフィカル表示制御部１６は、検索された画像種別情報に対応する種別表示画像オブジェクトを種別表示画像記憶部１３から読み出し（Ｓ１５）、複数の医用画像の属性となっていない画像種別情報に対応する種別表示画像オブジェクトをモニタ３に存在識別表示させ（Ｓ１６）、複数の医用画像の属性となっている画像種別情報に対応する種別表示画像オブジェクトをモニタ３に重複識別表示させる（Ｓ１７）。
【００５６】
次に、図９に示すように、マウスカーソルにより一の検査情報文字列２１１が選択されると、リスト表示制御部１４は、選択された検査情報文字列２１１が表す検査情報と対になって記憶されているシリーズ情報を対応テーブルから抽出し（Ｓ２１）、このシリーズ情報を表すシリーズ情報文字列２１２を並べたリストを作成して（Ｓ２２）、モニタ３に表示させる（Ｓ２３）。
【００５７】
部位グラフィカル表示制御部１５は、選択された検査情報文字列２１１が表す検査情報及び抽出されたシリーズ情報の双方と対になって記憶されている各種撮影部位情報を対応テーブルから検索する（Ｓ２４）。検索中は、複数の医用画像の属性となっている同一の撮影部位情報をピックアップする（Ｓ２５）。撮影部位情報が検索されると、部位グラフィカル表示制御部１５は、検索された撮影部位情報に対応する部位像オブジェクトを模型像記憶部１２から読み出し（Ｓ２６）、複数の医用画像の属性となっていない撮影部位情報に対応する部位像オブジェクトをモニタ３に存在識別表示させ（Ｓ２７）、複数の医用画像の属性となっている撮影部位情報に対応する部位像オブジェクトをモニタ３に重複識別表示させる（Ｓ２８）。
【００５８】
さらに、種別グラフィカル表示制御部１６は、選択された検査情報文字列２１１が表す検査情報及び抽出されたシリーズ情報の双方と対になって記憶されている各種画像種別情報を対応テーブルから検索する（Ｓ２９）。検索中は、複数の医用画像の属性となっている同一の画像種別情報をピックアップする（Ｓ３０）。画像種別情報が検索されると、種別グラフィカル表示制御部１６は、検索された画像種別情報に対応する種別表示画像オブジェクトを種別表示画像記憶部１３から読み出し（Ｓ３１）、複数の医用画像の属性となっていない画像種別情報に対応する種別表示画像オブジェクトをモニタ３に存在識別表示させ（Ｓ３２）、複数の医用画像の属性となっている画像種別情報に対応する種別表示画像オブジェクトをモニタ３に重複識別表示させる（Ｓ３３）。
【００５９】
次に、図１０に示すように、マウスカーソルにより一のシリーズ情報文字列２１２が選択されると、リスト表示制御部１４は、選択された検査情報文字列２１１及びシリーズ情報文字列２１２が表す検査情報及びシリーズ情報の双方と対になって記憶されている画像識別情報を対応テーブルから抽出し（Ｓ４１）、この画像識別情報を表す画像識別情報文字列２１３を並べたリストを作成して（Ｓ４２）、モニタ３に表示させる（Ｓ４３）。
【００６０】
部位グラフィカル表示制御部１５は、選択された検査情報文字列２１１及びシリーズ情報文字列２１２が表す検査情報及びシリーズ情報及び抽出された画像識別情報の全てと対になって記憶されている各種撮影部位情報を対応テーブルから検索する（Ｓ４４）。検索中は、複数の医用画像の属性となっている同一の撮影部位情報をピックアップする（Ｓ４５）。撮影部位情報が検索されると、部位グラフィカル表示制御部１５は、検索された撮影部位情報に対応する部位像オブジェクトを模型像記憶部１２から読み出し（Ｓ４６）、複数の医用画像の属性となっていない撮影部位情報に対応する部位像オブジェクトをモニタ３に存在識別表示させ（Ｓ４７）、複数の医用画像の属性となっている撮影部位情報に対応する部位像オブジェクトをモニタ３に重複識別表示させる（Ｓ４８）。
【００６１】
さらに、種別グラフィカル表示制御部１６は、選択された検査情報文字列２１１及びシリーズ情報文字列２１２が表す検査情報及びシリーズ情報及び抽出された画像識別情報の全てと対になって記憶されている各種画像種別情報を対応テーブルから検索する（Ｓ４９）。検索中は、複数の医用画像の属性となっている同一の画像種別情報をピックアップする（Ｓ５０）。画像種別情報が検索されると、種別グラフィカル表示制御部１６は、検索された画像種別情報に対応する種別表示画像オブジェクトを種別表示画像記憶部１３から読み出し（Ｓ５１）、複数の医用画像の属性となっていない画像種別情報に対応する種別表示画像オブジェクトをモニタ３に存在識別表示させ（Ｓ５２）、複数の医用画像の属性となっている画像種別情報に対応する種別表示画像オブジェクトをモニタ３に重複識別表示させる（Ｓ５３）。
【００６２】
（撮影部位−画像種別−リスト表示事項対応表示）
第２に、この画像リスト表示装置１は、識別表示されている人体像２２１の部位を選択すると、選択された部位に対応する医用画像の検査情報文字列２１１とシリーズ情報文字列２１２と画像識別情報文字列２１３を識別表示し、またこの医用画像の画像種別を表示する種別表示画像２２２をさらに異なって対応識別表示する。また、識別表示されている種別表示画像２２２を選択すると、この種別表示画像２２２に対応する医用画像の検査情報文字列２１１とシリーズ情報文字列２１２と画像識別情報文字列２１３を識別表示し、またこの医用画像の撮影部位を識別表示する人体像２２１上の箇所を対応識別表示する。また、表示されている検査情報文字列２１１又はシリーズ情報文字列２１２或いは画像識別情報文字列２１３の一を選択すると、このリスト表示事項に対応する医用画像の撮影部位に相当する人体像２２１上の部位を対応識別表示し、またこの医用画像の画像種別に対応する種別表示画像２２２を対応識別表示する。
【００６３】
リスト表示制御部１４は、部位グラフィカル表示制御部１５によってモニタ３に表示された部位像オブジェクトの何れかが選択されると、選択された部位像オブジェクトが対応する撮影部位情報を対応テーブルから検索し、この撮影部位情報と対になって対応テーブルに記憶されている画像識別情報を取得し、取得した画像識別情報と同一のリスト表示事項をモニタ３に識別表示させる。
【００６４】
また、リスト表示制御部１４は、種別グラフィカル表示制御部１６によってモニタ３に表示された種別表示画像オブジェクトの何れかが選択されると、選択された種別表示画像オブジェクトに対応する画像種別情報を対応テーブルから検索し、この画像種別情報と対になって対応テーブルに記憶されている画像識別情報を取得する。そして、取得した画像識別情報と同一のリスト表示事項をモニタ３に識別表示させる。
【００６５】
部位像オブジェクトや種別表示画像オブジェクトは、マウス４の部位像オブジェクトや種別表示画像オブジェクト上へのマウスカーソル移動操作、及びマウス４のクリック操作により選択される。
【００６６】
リスト表示事項の識別表示は、例えば識別表示する画像識別情報の表示エリアを所定の透明度の所定色で塗り潰す、ハイライト表示させる等である。所定の透明度は、画像識別情報が視認できる程度であり、所定色は、リスト表示する医用画像がその種別表示画像オブジェクトに相当する部位の画像であることを示す色であり、予め青色や赤色等で定められている。
【００６７】
部位グラフィカル表示制御部１５は、リスト表示制御部１４によってモニタ３に表示されたリスト表示事項の何れかが選択されると、選択されたリスト表示事項に対応する検査情報又はシリーズ情報或いは画像識別情報を対応テーブルから検索し、この検査情報又はシリーズ情報或いは画像識別情報と対になって対応テーブルに記憶されている撮影部位情報を取得する。そして、取得した撮影部位情報に対応する部位像オブジェクトを模型像記憶部１２から読み出してモニタ３に対応識別表示させる。
【００６８】
また、部位グラフィカル表示制御部１５は、種別グラフィカル表示制御部１６によってモニタ３に識別表示された種別表示画像オブジェクトの何れかが選択されると、選択された種別表示画像オブジェクトに対応する画像種別情報を対応テーブルから検索し、この画像種別情報と対になって対応テーブルに記憶されている撮影部位情報を取得する。そして、取得した撮影部位情報に対応する部位像オブジェクトを模型像記憶部１２から読み出してモニタ３に対応識別表示させる。
【００６９】
種別グラフィカル表示制御部１６は、リスト表示制御部１４によってモニタ３に表示されたリスト表示事項の何れかが選択されると、選択されたリスト表示事項に対応する検査情報又はシリーズ情報或いは画像識別情報を対応テーブルから検索し、この検査情報又はシリーズ情報或いは画像識別情報と対になって対応テーブルに記憶されている画像種別情報を取得する。そして、取得した画像種別情報に対応する種別表示画像オブジェクトを種別表示画像記憶部１３から読み出してモニタ３に対応識別表示させる。
【００７０】
また、種別グラフィカル表示制御部１６は、部位グラフィカル表示制御部１５によってモニタ３に識別表示された部位像オブジェクトの何れかが選択されると、選択された部位像オブジェクトに対応する撮影部位情報を対応テーブルから検索し、この撮影部位情報と対になって対応テーブルに記憶されている画像種別情報を取得する。そして、取得した画像種別情報に対応する種別表示画像オブジェクトを種別表示画像記憶部１３から読み出してモニタ３にさらに異なる表示方法で識別表示させる。
【００７１】
尚、対応識別表示は、同一の医用画像に由来することを示す識別表示である。例えば種別表示画像オブジェクトの枠の色を、選択されたリスト表示事項や部位像オブジェクトに対応する撮影部位情報と、同一の医用画像に由来するものであることを示す所定色とする。また、例えば部位像オブジェクトの色を、選択されたリスト表示事項や部位像オブジェクトに対応する撮影部位情報と、同一の医用画像に由来するものであることを示す所定色とする。
【００７２】
リスト表示事項や部位像オブジェクトや種別表示画像オブジェクトは、マウス４のリスト表示事項上へのマウスカーソル移動操作、及びマウス４のクリック操作により選択される。
【００７３】
図１１は、この画像リスト表示装置１において、人体像２２１上の識別表示部位の選択に対応してリスト表示事項を識別表示する動作を示すフローチャートである。
【００７４】
まず、マウスカーソルが人体像２２１上の識別表示部位上に移動し、クリック等によってその識別表示部位が選択されると（Ｓ６１，Ｙｅｓ）、リスト表示制御部１４は、対応テーブルを検索して、選択された識別表示部位に対応する部位像オブジェクトが表す撮影部位情報が対になっている表示済みのリストを抽出する（Ｓ６２）。
【００７５】
リスト表示制御部１４は、対応テーブルからリストを検索すると、このリストに対応するリスト表示事項を識別表示する（Ｓ６３）。
【００７６】
図１２は、この画像リスト表示装置１において、識別表示されている種別表示画像２２２の選択に対応してリスト表示事項を識別表示する動作を示すフローチャートである。
【００７７】
まず、マウスカーソルが識別表示されている種別表示画像２２２上に移動し、クリック等によってその種別表示画像２２２が選択されると（Ｓ７１，Ｙｅｓ）、リスト表示制御部１４は、対応テーブルを検索して、選択された種別表示画像２２２が表す画像種別情報が対になっている表示済みのリストを抽出する（Ｓ７２）。
【００７８】
リスト表示制御部１４は、対応テーブルからリストを検索すると、このリストに対応するリスト表示事項を識別表示する（Ｓ７３）。
【００７９】
尚、抽出対象となる表示済みのリストは、検査情報文字列２１１のみがリスト表示された状態であれば、この検査情報文字列２１１が表す検査情報を有する医用画像のリストである。リスト表示制御部１４は、選択された識別表示部位に対応する撮影部位情報又は識別表示された種別表示画像２２２に対応する画像種別情報と、この検査情報の双方とを有するリストを抽出する。実質的には、リスト表示しようとする医用画像の全ての検査情報がリスト表示されているため、撮影部位情報又は画像種別情報のみを検索キーとして対応テーブルを検索する。
【００８０】
また、抽出対象となる表示済みのリストは、検査情報文字列２１１のうちの一が選択されてシリーズ情報層までがリスト表示されていれば、選択された検査情報文字列２１１が表す検査情報を有する医用画像のリストである。リスト表示制御部１４は、選択された識別表示部位に対応する撮影部位情報又は識別表示された種別表示画像２２２に対応する画像種別情報と、この検査情報との双方を有するリストを抽出する。
【００８１】
また、抽出対象となる表示済みのリストは、シリーズ情報文字列２１２のうちの一が選択されて画像識別情報層までがリスト表示されていれば、選択された検査情報文字列２１１が表す検査情報及びシリーズ情報文字列２１２が表すシリーズ情報の双方を有する医用画像のリストである。リスト表示制御部１４は、選択された識別表示部位に対応する撮影部位情報又は識別表示された種別表示画像２２２に対応する画像種別情報と、この検査情報と、シリーズ情報との双方を有するリストを抽出する。
【００８２】
図１３は、この画像リスト表示装置１において、人体像２２１上の識別表示部位と識別表示されている種別表示画像２２２との選択に対応してリスト表示事項を絞り込んで識別表示する動作を示すフローチャートである。
【００８３】
まず、マウスカーソルが人体像２２１上の識別表示部位上に移動し、クリック等によってその識別表示部位が選択されると（Ｓ８１，Ｙｅｓ）、リスト表示制御部１４は、対応テーブルを検索して、選択された識別表示部位に対応する部位像オブジェクトが表す撮影部位情報が対になっている表示済みのリストを抽出する（Ｓ８２）。
【００８４】
リスト表示制御部１４は、対応テーブルからリストを検索すると、このリストに対応するリスト表示事項を識別表示する（Ｓ８３）。
【００８５】
さらに、マウスカーソルが識別表示されている種別表示画像２２２上に移動し、クリック等によってその種別表示画像２２２が選択されると（Ｓ８４，Ｙｅｓ）、リスト表示制御部１４は、対応テーブルを検索して、識別表示済みのリストから、選択された種別表示画像２２２が表す画像種別情報と対になっているリストを抽出する（Ｓ８５）。
【００８６】
リスト表示制御部１４は、対応テーブルからリストを検索すると、Ｓ８３の識別表示を変更して、このリストに対応するリスト表示事項を識別表示する（Ｓ８６）。
【００８７】
尚、人体像２２１上の識別表示部位の選択と種別表示画像２２２とは順逆自在である。
【００８８】
図１４は、この画像リスト表示装置１において、識別表示されている種別表示画像２２２が選択されると、人体像２２１上の部位を対応識別表示する動作を示すフローチャートである。
【００８９】
まず、マウスカーソルが識別表示されている種別表示画像２２２上に移動し、クリック等によってその種別表示画像２２２が選択されると（Ｓ９１，Ｙｅｓ）、部位グラフィカル表示制御部１５は、対応テーブルを検索して、選択された種別表示画像２２２が表す画像種別情報と、表示済みのリストに対応するリスト表示事項との双方と対になっている撮影部位情報を抽出する（Ｓ９２）。
【００９０】
部位グラフィカル表示制御部１５は、対応テーブルから撮影部位情報を検索すると、この撮影部位情報に対応する部位像オブジェクトを模型像記憶部１２から読み出し（Ｓ９３）、読み出した部位像オブジェクトをモニタ３に対応識別表示で表示させる（Ｓ９４）。
【００９１】
図１５は、この画像リスト表示装置１において、人体像２２１上の識別表示部位が選択されると、種別表示画像２２２を対応識別表示する動作を示すフローチャートである。
【００９２】
まず、マウスカーソルが人体像２２１上の識別表示部位上に移動し、クリック等によってその識別表示部位が選択されると（Ｓ１０１，Ｙｅｓ）、種別グラフィカル表示制御部１６は、対応テーブルを検索して、選択された識別表示部位が表す撮影部位情報と、表示済みのリストに対応するリスト表示事項との双方と対になっている画像種別情報を抽出する（Ｓ１０２）。
【００９３】
種別グラフィカル表示制御部１６は、対応テーブルから画像種別情報を検索すると、この画像種別情報に対応する種別表示画像オブジェクトを種別表示画像記憶部１３から読み出し（Ｓ１０３）、読み出した種別表示画像オブジェクトをモニタ３に対応識別表示で表示させる（Ｓ１０４）。
【００９４】
図１６は、この画像リスト表示装置１において、リスト表示事項の何れかが選択されると、人体像２２１上の部位を対応識別表示する動作を示すフローチャートである。
【００９５】
まず、マウスカーソルが一のリスト表示事項上に移動し、クリック等によってそのリスト表示事項が選択されると（Ｓ１１１，Ｙｅｓ）、部位グラフィカル表示制御部１５は、対応テーブルを検索して、選択されたリスト表示事項と対になっている撮影部位情報を抽出する（Ｓ１１２）。
【００９６】
部位グラフィカル表示制御部１５は、対応テーブルから撮影部位情報を検索すると、この撮影部位情報に対応する部位像オブジェクトをモニタ３に対応識別表示で表示させる（Ｓ１１３）。
【００９７】
図１７は、この画像リスト表示装置１において、リスト表示事項の何れかが選択されると、種別表示画像２２２を対応識別表示する動作を示すフローチャートである。
【００９８】
まず、マウスカーソルが一のリスト表示事項上に移動し、クリック等によってそのリスト表示事項が選択されると（Ｓ１２１，Ｙｅｓ）、種別グラフィカル表示制御部１６は、対応テーブルを検索して、選択されたリスト表示事項と対になっている画像種別情報を抽出する（Ｓ１２２）。
【００９９】
種別グラフィカル表示制御部１６は、対応テーブルから画像種別情報を検索すると、この画像種別情報に対応する種別表示画像オブジェクトをモニタ３に対応識別表示で表示させる（Ｓ１２３）。
【０１００】
この画像リスト表示装置１における対応識別表示の具体例を図１８乃至図２１に示す。
【０１０１】
図１８は、リスト表示事項と人体像２２１上の識別部位とを対応させて識別表示したリスト表示画面を示す具体例である。例えば、存在識別表示されている人体像２２１の上腹箇所（図中Ｓ）上にマウスカーソルが移動して選択されると、この上腹を撮影部位とする医用画像群Ａのシリーズ情報を明示するシリーズ番号が３番目のシリーズ情報文字列２１２（図中Ｌ）がハイライト表示される。また、医用画像群Ａのシリーズ情報を明示するシリーズ番号が３番目のシリーズ情報文字列２１２（図中Ｌ）上にマウスカーソルが移動して選択されると、この医用画像群Ａの撮影部位である上腹部箇所（図中Ｓ）が対応する人体像２２１上の位置が対応識別表示を示す黒色で塗り潰される。
【０１０２】
図１９は、リスト表示事項と種別表示画像２２２とを対応させて識別表示したリスト表示画面を示す具体例である。例えば、造影撮影を表す種別表示画像２２２（図中Ｓ）上にマウスカーソルが移動して選択されると、造影撮影で撮影された医用画像群Ａのシリーズ情報を明示するシリーズ番号が３番目のシリーズ情報文字列２１２（図中Ｌ）がハイライト表示される。また、医用画像Ａのシリーズ情報を明示するシリーズ番号が３番目のシリーズ情報文字列２１２（図中Ｌ）上にマウスカーソルが移動して選択されると、この医用画像群Ａの画像種別である造影画像に対応する種別表示画像２２２（図中Ｓ）の枠が対応識別表示を示す黒色で塗り潰される。
【０１０３】
図２０は、人体像２２１上の部位と種別表示画像２２２とを対応識別表示したリスト表示画面を示す具体例である。例えば、存在識別表示されている人体像２２１の上腹箇所（図中ｈ）上にマウスカーソルが移動して選択されると、この上腹を撮影部位とする医用画像群Ａの画像種別である造影画像を表す種別表示画像２２２（図中ａ）の枠が対応識別表示を示す黒色で塗り潰される。また、造影撮影を表す種別表示画像２２２（図中ａ）上にマウスカーソルが移動して選択されると、造影撮影で撮影された医用画像群Ａの撮影部位である上腹箇所（図中ｈ）に対応する人体像２２１上の位置が対応識別表示を示す黒色で塗り潰される。
【０１０４】
図２１は、人体像２２１上の部位及び種別表示画像２２２と、リスト表示事項とを対応させて識別表示したリスト表示画面を示す具体例である。この具体例では、上腹を撮影したことを表す撮影部位情報であり、シリーズ番号４番目のシリーズ情報を有する医用画像群Ａと同一属性のＢが存在するものとする。
【０１０５】
例えば、存在識別表示されている人体像２２１の上腹箇所（図中ｈ）上にマウスカーソルが移動して選択されると、この上腹を撮影部位とした医用画像群Ａのシリーズ情報を明示するシリーズ番号が３番目のシリーズ情報文字列２１２（図中Ｌ１）と医用画像群Ｂのシリーズ情報を明示するシリーズ番号が４番のシリーズ情報文字列２１２（図中Ｌ２）がハイライト表示されるが、さらに造影撮影を表す種別表示画像２２２（図中ａ）上にマウスカーソルが移動して選択されると、この上腹を撮影部位とし、かつ造影画像である医用画像群Ａのシリーズ情報を明示するシリーズ番号が３番目のシリーズ情報文字列２１２（図中Ｌ１）のみがハイライト表示される。
【０１０６】
（情報ポップアップ表示）
【０１０７】
第３に、この画像リスト表示装置１は、識別表示されている人体像２２１上の部位上にマウスカーソルを移動させると、この部位に対応する撮影部位情報を属性に有する医用画像の他の属性情報をポップアップ表示する。また、識別表示されている種別表示画像２２２上にマウスカーソルを移動させると、この種別表示画像２２２が表す画像種別に対応する画像種別情報を属性に有する医用画像の他の属性情報をポップアップ表示する。
【０１０８】
図２２は、この画像リスト表示装置１の他の機能構成を示すブロック図である。この画像リスト表示装置１は、さらにポップアップ表示制御部１７を備える。
【０１０９】
ポップアップ表示制御部１７は、主に演算制御装置２ａを含み構成される。このポップアップ表示制御部１７は、人体像２２１上の識別表示部位にマウスカーソルが移動すると、この識別表示部位に対応する撮影部位を属性に有する医用画像の他の属性をポップアップ表示し、種別表示画像２２２にマウスカーソルが移動すると、種別表示画像２２２に対応する画像種別を属性に有する医用画像の画像情報をポップアップ表示する。
【０１１０】
表示する画像情報は、対応テーブルを参照する。ポップアップ表示制御部１７は、マウスカーソルが移動した識別表示部位に対応する撮影部位情報と対になった画像種別情報やモダリティ情報等を対応テーブルから読み出し、ポップアップ表示する。また、ポップアップ表示制御部１７は、マウスカーソルが移動した種別表示画像２２２に対応する画像種別情報と対になった撮影部位情報やモダリティ情報等を対応テーブルから読み出し、ポップアップ表示する。
【０１１１】
図２３は、このポップアップ表示に係る動作を示すフローチャートである。
【０１１２】
マウスカーソルが人体像２２１上の識別表示部位にマウスカーソルが移動すると（Ｓ１３１，Ｙｅｓ）、ポップアップ表示制御部１７は、マウスカーソルが移動した識別表示部位に対応する撮影部位情報を対応テーブルから検索する（Ｓ１３２）。撮影部位情報が検索されると、この撮影部位情報と対になった画像種別情報とモダリティ情報を読み出し（Ｓ１３３）、読み出した画像種別情報とモダリティ情報をモニタ３にポップアップ表示させる（Ｓ１３４）。
【０１１３】
また、マウスカーソルが識別表示されている種別表示画像２２２にマウスカーソルが移動すると（Ｓ１３５，Ｙｅｓ）、ポップアップ表示制御部１７は、マウスカーソルが移動した種別表示画像２２２に対応する画像種別情報を対応テーブルから検索する（Ｓ１３６）。画像種別情報が検索されると、この画像種別情報と対になった撮影部位情報とモダリティ情報を読み出し（Ｓ１３７）、読み出した撮影部位情報とモダリティ情報をモニタ３にポップアップ表示させる（Ｓ１３８）。
【０１１４】
尚、人体像２２１上の識別表示部位にマウスカーソルが移動したことによるポップアップ表示と種別表示画像２２２上にマウスカーソルが移動したことによるポップアップ表示は、順逆自在であり、また何れか一方のみでも成立する。
【０１１５】
図２４は、このポップアップ表示の具体例を示すリスト表示画面である。医用画像Ａの対応テーブルには、Ｘ線ＣＴ装置を表すモダリティ情報が存在するものとする。
【０１１６】
上腹を示す人体像２２１上の識別表示部位上（図中ｈ）にマウスカーソルが移動すると、リスト表示画面には、医用画像群Ａの画像種別である造影撮影を表す画像種別情報文字列とＸ線ＣＴ装置を表すモダリティ情報文字列がポップアップ表示（図中Ｔ１）される。また、ＭＰＲ画像を表す種別表示画像２２２（図中ｄ）上にマウスカーソルが移動すると、リスト表示画面には、医用画像群Ａの撮影部位である上腹を表す撮影部位情報文字列とＸ線ＣＴ装置を表すモダリティ情報文字列がポップアップ表示（図中Ｔ２）される。
【０１１７】
このように、本実施形態の画像リスト表示装置１では、医用画像の文字列によるリスト表示に加えて、リスト表示する医用画像の撮影部位に対応する部位像を識別表示させ、またリスト表示する医用画像の画像種別に対応する種別表示画像を識別表示させるようにした。
【０１１８】
また、本実施形態の画像リスト表示装置１では、医用画像の撮影部位と画像種別とリスト表示事項とを対応付けた対応テーブルを記憶し、リスト表示事項の何れかが選択されると、この対応テーブルに基づき、選択されたリスト表示事項に対応する部位像と種別表示画像を識別表示させるようにし、若しくは部位像の何れかが選択されると、この対応テーブルに基づき、選択された部位像に対応するリスト表示事項と種別表示画像を識別表示させるようにし、又は種別表示画像の何れかが選択されると、この対応テーブルに基づき、選択された種別表示画像に対応する部位像とリスト表示事項を識別表示させるようにした。
【０１１９】
これにより、表示されたリストがどのような属性を有する医用画像のリストなのかを視覚的に判別できるため、所望する医用画像のリストを容易に選択でき、医療行為の作業効率が向上する。
【図面の簡単な説明】
【０１２０】
【図１】従来の医用画像のリスト表示画面を示す模式図である。
【図２】本実施形態に係る画像リスト表示装置のハードウェア構成を示すブロック図である。
【図３】本実施形態に係るリスト表示画面を示す模式図である。
【図４】本実施形態に係るリスト表示画面のうち、グラフィカルイメージ部分を拡大した模式図である。
【図５】同一の撮影部位や同一の画像種別の医用画像が複数存在することを示すグラフィカルイメージ部分の模式図である。
【図６】本実施形態に係る画像リスト表示装置の機能を示すブロック図である。
【図７】対応テーブルを示す模式図である。
【図８】リストの最上位層である検査情報層を表示するフローチャートである。
【図９】ストの中間層であるシリーズ情報層を表示するフローチャートである。
【図１０】リストの最下位層である画像識別情報層を表示するフローチャートである。
【図１１】人体像上の識別表示部位の選択に対応してリスト表示事項を識別表示する動作を示すフローチャートである。
【図１２】識別表示されている種別表示画像の選択に対応してリスト表示事項を識別表示する動作を示すフローチャートである。
【図１３】人体像上の識別表示部位と識別表示されている種別表示画像との選択に対応してリスト表示事項を絞り込んで識別表示する動作を示すフローチャートである。
【図１４】識別表示されている種別表示画像が選択されると、人体像上の部位を対応識別表示する動作を示すフローチャートである。
【図１５】人体像上の識別表示部位が選択されると、種別表示画像を対応識別表示する動作を示すフローチャートである。
【図１６】リスト表示事項の何れかが選択されると、人体像上の部位を対応識別表示する動作を示すフローチャートである。
【図１７】リスト表示事項の何れかが選択されると、種別表示画像を対応識別表示する動作を示すフローチャートである。
【図１８】リスト表示事項と人体像上の識別部位とを対応させて識別表示したリスト表示画面を示す具体例である。
【図１９】リスト表示事項と種別表示画像とを対応させて識別表示したリスト表示画面を示す具体例である。
【図２０】人体像上の部位と種別表示画像とを対応識別表示したリスト表示画面を示す具体例である。
【図２１】人体像上の部位及び種別表示画像と、リスト表示事項とを対応させて識別表示したリスト表示画面を示す具体例である。
【図２２】画像リスト表示装置の他の機能構成を示すブロック図である。
【図２３】ポップアップ表示に係る動作を示すフローチャートである。
【図２４】ポップアップ表示の具体例を示すリスト表示画面である。
【符号の説明】
【０１２１】
１  画像リスト表示装置
１１  管理部
１２  模型像記憶部
１３  種別表示画像記憶部
１４  リスト表示制御部
１５  部位グラフィカル表示制御部
１６  種別グラフィカル表示制御部
１７  ポップアップ表示制御部
２  ワークステーション装置
２ａ  演算制御装置
２ｂ  主記憶装置
２ｃ  外部記憶装置
２ｄ  入出力インターフェース
３  モニタ
４  マウス
２１  リスト表示エリア
２１１  検査情報文字列
２１２  シリーズ情報文字列
２１３  画像識別情報文字列
２２  グラフィカルイメージ表示エリア
２２１  人体像
２２２  種別表示画像
【図２】
2008264167.tif 000003
【図４】
2008264167.tif 000004
【図５】
2008264167.tif 000005
【図６】
2008264167.tif 000006
【図７】
2008264167.tif 000007
【図８】
2008264167.tif 000008
【図９】
2008264167.tif 000009
【図１０】
2008264167.tif 000010
【図１１】
2008264167.tif 000011
【図１２】
2008264167.tif 000012
【図１３】
2008264167.tif 000013
【図１４】
2008264167.tif 000014
【図１５】
2008264167.tif 000015
【図１６】
2008264167.tif 000016
【図１７】
2008264167.tif 000017
【図１８】
2008264167.tif 000018
【図１９】
2008264167.tif 000019
【図２０】
2008264167.tif 000020
【図２１】
2008264167.tif 000021
【図２２】
2008264167.tif 000022
【図２３】
2008264167.tif 000023
【図２４】
2008264167.tif 000024
【図１】
2008264167.tif 000025
【図３】
2008264167.tif 000026